(57)【要約】    【課題】  腕の静脈で採血や点滴をするとき、駆血と止血を安全に簡単に行う。    【解決手段】  駆血テープと止血テープを兼ねたテープである。テープ１は、合成樹脂にし、第１端と第２端のある細長い形状にし、第１端側の端部と第２端側の端部を使用者が左右の両手で摘まむ第１摘み部２と第２摘み部３にする。第１端側に第２端側が付着する粘着層４を片面に形成し、粘着層を形成した面と反対側の面には粘着層を形成しない。粘着層を形成した面を外面にして湾曲し、第１端側の粘着層の上に第２端側を被せて付着すると、輪になって、粘着層のない面が輪の内面になる構成にする。輪になったテープは、第１端側の粘着層に付着する第２端側の位置で輪の大きさ、締め付け力を調節可能にする。テープは、腕に巻き付けて締め付け駆血を行った後、腕の針跡部分に当てた止血パッドに被せて締め付け止血を行う。【選択図】  図１
2017144034.tif 000002
【特許請求の範囲】
【請求項１】
採血や点滴を受ける人の腕の血管位置を見つけ易くする駆血テープと、採血や点滴の後に腕の針跡部分に当てた止血パッドを腕の針跡部分に押し付ける止血テープを兼ねたテープであって、
このテープは、合成樹脂テープにし、第１端と第２端のある細長い形状にし、
細長い形状の合成樹脂テープは、第１端側の端部と第２端側の端部をそれぞれ第１摘み部と第２摘み部にし、第１摘み部と第２摘み部をそれぞれ使用者が左右の両手で摘まむ構成にし、
また、合成樹脂テープは、湾曲自在にし、第１端側に第２端側が付着する粘着層を片面に形成し、粘着層を形成した面と反対側の面には粘着層を形成せず、
湾曲自在な合成樹脂テープは、粘着層を形成した面を外面にして湾曲し、第１端側の粘着層の上に第２端側を被せて付着すると、輪になって、粘着層のない面が輪の内面になる構成にし、
輪になった合成樹脂テープは、第１端側の粘着層に付着する第２端側の位置で輪の大きさ、締め付け力を調節可能にし、
テープは、腕に巻き付けて締め付け、駆血を行った後、腕の針跡部分に当てた止血パッドに被せて締め付け、止血を行う構成にしていることを特徴とする駆血兼止血テープ。
【請求項２】
第１端側の粘着層は、第１摘み部と間隔を置いて又は隣接して配置し、第１摘み部を摘む使用者の指に接触しない構成にしていることを特徴とする請求項１に記載の駆血兼止血テープ。
【請求項３】
テープは、透明にし、透明テープを透かして止血パッドの血の滲み具合を観察可能にしていることを特徴とする請求項１又は２に記載の駆血兼止血テープ。
【請求項４】
第１摘み部と第２摘み部は、目印付きにしていることを特徴とする請求項１、２又は３に記載の駆血兼止血テープ。
【請求項５】
粘着層は、目印付きにしていることを特徴とする請求項１〜４のいずれかに記載の駆血兼止血テープ。
【請求項６】
テープは、保管のため、粘着層のある面を内面にして折り畳み、第１端側の粘着層に折返し部分を付着して粘着層を折返し部分で覆っていることを特徴とする請求項１〜５のいずれかに記載の駆血兼止血テープ。
【請求項７】
折り畳みは、二つ折り又は三つ折りにしていることを特徴とする請求項６に記載の駆血兼止血テープ。
【請求項８】
折り畳み状態のテープは、折線部分を仮着層で付着して重なり状態を維持していることを特徴とする請求項６又は７に記載の駆血兼止血テープ。
【請求項９】
仮着層は、一度しか付着しない仮着剤で形成していることを特徴とする請求項８に記載の駆血兼止血テープ。
【請求項１０】
請求項１〜９のいずれかに記載の駆血兼止血テープを使用して駆血と止血を行う方法であって、
駆血兼止血テープは、使用者が第１摘み部と第２摘み部を両手で摘んで一直線状にし、採血や点滴を受ける被使用者の腕に巻き付け、その際、粘着層のある面を外面にし、また、第１端側の粘着層の上に第２端側を重ね、第１端側の粘着層に第２端側を付着して輪にし、被使用者の腕の周りを締め付け、腕内の静脈の血管を圧迫して駆血を行い、
被使用者の腕に針を刺した後、駆血を行った駆血兼止血テープは、第２端側を第１端側の粘着層から剥して締め付けを緩め、緩い状態で第２端側を第１端側の粘着層に仮止めし、輪になって腕に巻き付いた形態で止血テープとしての使用を待機し、
被使用者の腕から針を抜いた後、待機していた駆血兼止血テープは、腕の針跡部分に当てた止血パッドに被せ、締め付け力を高めた状態で第２端側を第１端側の粘着層に付着し、止血パッドを腕の針跡部分に押し付けて止血を行い、
腕の針跡からの出血が停止した後、止血を行った駆血兼止血テープは、第２端側を第１端側の粘着層から剥し、輪を解いて腕から取り外すことを特徴とする駆血と止血の方法。
【発明の詳細な説明】
【技術分野】
【０００１】
本発明は、採血や点滴を受ける人の腕の血管位置を見つけ易くする駆血と、採血や点滴の後に腕の針跡からの出血を止める止血の技術に関する。
【背景技術】
【０００２】
腕の静脈で採血や点滴をするとき、針を刺す位置を決めるため、腕に駆血帯を巻き付ける。輪になった駆血帯で腕の周りを締め付け、腕内の静脈の血管を圧迫する。すると、腕内の静脈の血管は、圧迫位置の下流側部分がうっ血して拡張する。腕内の静脈の血管位置を見つけ易くなる。
採血や点滴が終わると、針を腕から抜き出し、腕の針跡の孔からの出血を止める止血処置をする。腕の針跡部分には、カーゼや綿の止血パッドを当てる。そして、止血パッドを覆って止血帯を腕に巻き付ける。輪になった止血帯で止血パッドを腕の針跡部分に押し付ける。止血パッドで腕の針跡部分を圧迫する。腕の針跡の孔からの出血が止められる。
【０００３】
駆血帯と止血帯は、それぞれ、繰り返して使用する。腕の針跡の孔からの出血などで汚れると、再利用のために消毒する。
駆血帯には、ゴム管製の駆血チューブや合成樹脂テープ製の駆血テープがある。
止血帯には、織物製の止血帯や合成樹脂テープ製の止血テープがある。
【先行技術文献】
【特許文献】
【０００４】
【特許文献１】登録実用新案第３１９５４６８号公報
【特許文献２】登録実用新案第３１８６２５２号公報
【発明の概要】
【発明が解決しようとする課題】
【０００５】
［課  題］
上記のような駆血帯と止血帯は、血液が付着することがある。繰り返して使用すると、付着血液を経て感染するおそれがある。また、消毒の手間が掛る。消毒による劣化のおそれがある。
駆血帯と止血帯との２本を用意する手間と費用が掛る。その２本を個別に使用する手間が掛る。
駆血帯と止血帯は、粘着層付きのテープで構成しているタイプでは、粘着層が腕に触れて粘着剤で腕の皮膚に障害が生じるおそれがある。
要するに、腕の静脈で採血や点滴をするとき、駆血と止血を安全に簡単に行いたい。
【０００６】
［構  想］
駆血帯と止血帯は、使い捨てにする。感染や劣化のおそれがなくなる。消毒が不要になる。
合成樹脂テープにする。安価になる。使い捨てし易い。使い捨てに適している。
駆血テープは、合成樹脂テープの片端側の片面に粘着層を形成する。粘着層は、腕に巻く際の外面、腕の肌に接触しない面に設ける。腕に巻く際の内面、腕の肌に接触する面には設けない。粘着層が腕に触れず、粘着剤による肌の障害が生じない。
駆血テープは、駆血後の止血にも使用する。止血テープを兼ねる。駆血と止血は、駆血兼止血テープの１本で済む。経済的で、便利になる。
駆血兼止血テープは、合成樹脂テープを透明にする。透明なテープは、腕の針跡部分に当てたカーゼや綿の止血パッドを覆って巻き付ける。透明なテープを透かして止血パッドの血の滲み具合、腕の針跡の孔からの出血状態を観察することができる。
【０００７】
［具体化］
〈止血兼駆血テープの構成〉
１）駆血兼止血テープは、合成樹脂テープにする。合成樹脂テープは、細長い形状にし、一方の端を第１端とし、他方の端を第２端とする。第１端側の端部と第２端側の端部は、それぞれ、第１摘み部と第２摘み部にする。看護師や医師などの使用者は、左右の両手でそれぞれ左右の第１摘み部と第２摘み部を摘まむ。
第１摘み部と第２摘み部は、それぞれ、目印付きにする。目印付き第１摘み部と目印付き第２摘み部は、摘む際に見つけ易い。目印付きには、色付き、色違い、模様付き、文字付きなどが例示される。
【０００８】
２）駆血兼止血テープは、合成樹脂テープの第１端側に粘着層を片面に形成する。合成樹脂テープは、粘着層を形成した面と反対側の面には粘着層を形成しない。粘着層は、合成樹脂テープの第１端側に、全面ではなく、部分的に形成する。第１端側の粘着層は、第１端側の第１摘み部と間隔を置いて又は隣接して配置する。第１摘み部を摘む使用者の指に粘着層が接触しない構成にする。粘着剤で使用者の指の皮膚に障害が生じるのを防止する。
合成樹脂テープは、湾曲自在にする。湾曲自在な合成樹脂テープは、粘着層のある面を外面にして湾曲し、第１端側の粘着層の上に第２端側を被せて付着する。すると、合成樹脂テープは、第１端側と第２端側が連結して、輪になる。その輪は、粘着層のない面が内面になる。粘着層のない面は、患者や健康診断受診者などの被使用者の腕の肌に接触する面になる。粘着層のある面は、外面になり、被使用者の腕の肌に接触しない面になる。粘着層が被使用者の腕に触れない構成にする。
また、輪になった合成樹脂テープは、第１端側の粘着層に付着する第２端側の位置で、輪の大きさ、締め付け力を調節する。
粘着層は、目印付きにする。目印付き粘着層は、付着する際に見つけ易い。目印付きには、摘み部におけるのと同様に、各種のものがある。
【０００９】
３）駆血兼止血テープは、合成樹脂テープを透明にする。透明な合成樹脂テープは、止血テープとしての使用時に、透明テープを透かして、カーゼや綿の止血パッドの血の滲み具合、腕の針跡の孔からの出血状態を観察することができる。
【００１０】
〈駆血兼止血テープの使用方法、駆血と止血の方法〉
駆血兼止血テープの使用時には、駆血と止血を行う使用者は、左右の両手で駆血兼止血テープの左右の第１摘み部と第２摘み部を摘み、駆血兼止血テープを左右方向に一直線状にする。この駆血兼止血テープは、採血や点滴を受ける被使用者の腕に巻き付ける。その際、粘着層のある面を外面にする。また、第１端側の粘着層の上に第２端側を重ね、第１端側の粘着層に第２端側を付着する。駆血兼止血テープは、第１端側と第２端側を連結して、輪にする。その際、第１端側の粘着層に付着する第２端側の位置で、輪の大きさ、締め付け力を調節する。輪になった駆血兼止血テープで腕の周りを締め付け、腕内の静脈の血管を圧迫する。すると、その血管は、圧迫位置の下流側部分が拡張する。
腕内の静脈の血管位置が見つかって腕に針を刺した後、駆血兼止血テープは、第２端側を第１端側の粘着層から剥して締め付けを緩め、緩い状態で第２端側を第１端側の粘着層に仮止めする。すると、駆血兼止血テープは、輪になって腕に巻き付いた形態で腕に留まっている。止血テープとしての使用を待機している。
採血や点滴が終わると、針を腕から抜き出し、腕の針跡部分にカーゼや綿の止血パッドを当て、止血パッドに待機中の駆血兼止血テープを被せる。駆血兼止血テープは、第２端側を第１端側の粘着層から剥し、締め付け力を高めた状態で第２端側を第１端側の粘着層に付着する。駆血兼止血テープで止血パッドを腕の針跡部分に押し付ける。止血パッドで腕の針跡部分を圧迫する。腕の針跡の孔からの出血が止められる。透明なテープを透かして、止血パッドの血の滲み具合、腕の針跡の孔からの出血状態を観察することができる。
腕の針跡の孔からの出血が停止した後、駆血兼止血テープは、第２端側を第１端側の粘着層から剥す。輪を解いて腕から取り外す。一度使用した駆血兼止血テープは、廃棄する。
【００１１】
〈駆血兼止血テープの保管時の形態〉
駆血兼止血テープは、細長い。保管には便利ではない。
長い駆血兼止血テープは、保管時には、短くする。折り畳み状態にする。折り畳む際、粘着層のある面を内面にする。第１端側の粘着層には、折返し部分を付着して置く。すると、折り畳み状態が維持される。また、第１端側の粘着層は、折返し部分で覆われた状態が維持される。保管中にゴミなどが付いて粘着力が低下するのが防止される。折り畳みは、二つ折りや三つ折りが好ましい。
また、折り畳み状態の駆血兼止血テープは、合成樹脂テープの折線部分が弾性力で膨らむことがある。折線部分が膨らむと、保管に便利ではない。
合成樹脂テープの折線部分は、内面に仮着層を形成する。すると、折線部分は、仮着層で付着して重なり状態が維持される。折線部分の膨らみが防止される。
仮着層は、一度しか付着しない仮着剤にする。すると、駆血兼止血テープは、一度使用した後、再び保管することが防止され易い。仮着層は、粘着層とは異なり、人の肌に接触しても、仮着剤で人の皮膚に障害が生じるおそれがない。
【課題を解決するための手段】
【００１２】
１．採血や点滴を受ける人の腕の血管位置を見つけ易くする駆血テープと、採血や点滴の後に腕の針跡部分に当てた止血パッドを腕の針跡部分に押し付ける止血テープを兼ねたテープであって、
このテープは、合成樹脂テープにし、第１端と第２端のある細長い形状にし、
細長い形状の合成樹脂テープは、第１端側の端部と第２端側の端部をそれぞれ第１摘み部と第２摘み部にし、第１摘み部と第２摘み部をそれぞれ使用者が左右の両手で摘まむ構成にし、
また、合成樹脂テープは、湾曲自在にし、第１端側に第２端側が付着する粘着層を片面に形成し、粘着層を形成した面と反対側の面には粘着層を形成せず、
湾曲自在な合成樹脂テープは、粘着層を形成した面を外面にして湾曲し、第１端側の粘着層の上に第２端側を被せて付着すると、輪になって、粘着層のない面が輪の内面になる構成にし、
輪になった合成樹脂テープは、第１端側の粘着層に付着する第２端側の位置で輪の大きさ、締め付け力を調節可能にし、
テープは、腕に巻き付けて締め付け、駆血を行った後、腕の針跡部分に当てた止血パッドに被せて締め付け、止血を行う構成にしていることを特徴とする駆血兼止血テープ。
２．上記１の駆血兼止血テープにおいて、
第１端側の粘着層は、第１摘み部と間隔を置いて又は隣接して配置し、第１摘み部を摘む使用者の指に接触しない構成にしていることを特徴とする。
３．上記１又は２の駆血兼止血テープにおいて、
テープは、透明にし、透明テープを透かして止血パッドの血の滲み具合を観察可能にしていることを特徴とする。
４．上記１、２又は３の駆血兼止血テープにおいて、
第１摘み部と第２摘み部は、目印付きにしていることを特徴とする。
５．上記１〜４のいずれかの駆血兼止血テープにおいて、
粘着層は、目印付きにしていることを特徴とする。
６．上記１〜５のいずれかの駆血兼止血テープにおいて、
テープは、保管のため、粘着層のある面を内面にして折り畳み、第１端側の粘着層に折返し部分を付着して粘着層を折返し部分で覆っていることを特徴とする。
７．上記６の駆血兼止血テープにおいて、
折り畳みは、二つ折り又は三つ折りにしていることを特徴とする。
８．上記６又は７の駆血兼止血テープにおいて、
折り畳み状態のテープは、折線部分を仮着層で付着して重なり状態を維持していることを特徴とする。
９．上記８の駆血兼止血テープにおいて、
仮着層は、一度しか付着しない仮着剤で形成していることを特徴とする。
１０．上記１〜９のいずれかの駆血兼止血テープを使用して駆血と止血を行う方法であって、
駆血兼止血テープは、使用者が第１摘み部と第２摘み部を両手で摘んで一直線状にし、採血や点滴を受ける被使用者の腕に巻き付け、その際、粘着層のある面を外面にし、また、第１端側の粘着層の上に第２端側を重ね、第１端側の粘着層に第２端側を付着して輪にし、被使用者の腕の周りを締め付け、腕内の静脈の血管を圧迫して駆血を行い、
被使用者の腕に針を刺した後、駆血を行った駆血兼止血テープは、第２端側を第１端側の粘着層から剥して締め付けを緩め、緩い状態で第２端側を第１端側の粘着層に仮止めし、輪になって腕に巻き付いた形態で止血テープとしての使用を待機し、
被使用者の腕から針を抜いた後、待機していた駆血兼止血テープは、腕の針跡部分に当てた止血パッドに被せ、締め付け力を高めた状態で第２端側を第１端側の粘着層に付着し、止血パッドを腕の針跡部分に押し付けて止血を行い、
腕の針跡からの出血が停止した後、止血を行った駆血兼止血テープは、第２端側を第１端側の粘着層から剥し、輪を解いて腕から取り外すことを特徴とする駆血と止血の方法。
【発明の効果】
【００１３】
腕の静脈で採血や点滴をするとき、駆血と止血を安全に簡単に行うことができる。
【図面の簡単な説明】
【００１４】
【図１】本発明の実施形態の第１例における駆血兼止血テープの平面図で、テープを左右に２分割して左端側と右端側の部分を上下に配した分割図。
【図２】同テープの正面図で、同分割図、厚さ方向を拡大した図。
【図３】同テープの縦断正面図で、同分割図、厚さ方向を拡大した図。
【図４】同テープの保管時の二つ折り形態を示す平面図。
【図５】同テープの同形態を示す正面図で、厚さ方向を拡大した図。
【図６】同テープの同形態を示す縦断正面図で、厚さ方向を拡大した図。
【図７】同テープの使用手順を示す説明図。
【図８】第２例における駆血兼止血テープの平面図で、テープを左右に２分割して左端側と右端側の部分を上下に配した分割図。
【図９】同テープの正面図で、同分割図、厚さ方向を拡大した図。
【図１０】同テープの縦断正面図で、同分割図、厚さ方向を拡大した図。
【図１１】同テープの保管時の三つ折り形態を示す平面図。
【図１２】同テープの同形態を示す正面図で、厚さ方向を拡大した図。
【図１３】同テープの同形態を示す縦断正面図で、厚さ方向を拡大した図。
【発明を実施するための形態】
【００１５】
［第１例（図１〜図７参照）］
〈止血兼駆血テープの構成〉
本例の駆血兼止血テープは、図１〜図３に示すように、左右方向に細長い長方形状の合成樹脂テープ１にしている。帯状の合成樹脂テープ１は、湾曲自在にしている。また、無色透明にしている。実施例では、合成樹脂テープ１は、長さ、幅と厚さを、４００ｍｍ強、２０ｍｍ強、０．０５ｍｍ位にしている。材料の合成樹脂はポリプロピレンにしている。いわゆるＯＰＰテープにしている。機械的強度は、５％引張強度が２Ｎ／２０ｍｍ以上で、破断強度が３５Ｎ／２０ｍｍ以上にしている。
【００１６】
細長い合成樹脂テープ１は、左端の第１端側の端部と右端の第２端側の端部をそれぞれ第１摘み部２と第２摘み部３にしている。使用者が左右の両手でそれぞれ左右の第１摘み部２と第２摘み部３を摘まむ構成にしている。
【００１７】
粘着可能な合成樹脂テープ１は、第１端側の上面に第２端側の上面が付着する粘着層４を形成している。第２端側の上面は、粘着層４に付着する範囲を離型処理している。粘着層４は、合成樹脂テープ１の第１端側に、全面ではなく、部分的に形成している。第１端側の粘着層４は、第１端側の第１摘み部２から間隔を置いて配置している。第１摘み部２を摘む使用者の指に接触しない位置に配置している。粘着層４を形成する粘着剤は、人の肌に障害を生じさせ難い医療用にしている。ゴム系の粘着剤にしている。粘着層４は、無色透明にしている。合成樹脂テープ１は、第２端側には、粘着層を形成していない。また、粘着層４を形成した上面と反対側の下面には、粘着層を形成していない。
【００１８】
湾曲自在な合成樹脂テープ１は、粘着層４のある上面を外面にして湾曲し、第１端側の粘着層４の上に第２端側の上面を被せて付着する。すると、第１端側と第２端側が連結して、輪になる。その輪は、粘着層のない面が内面になる。輪になった合成樹脂テープ１では、粘着層のない面は、内面になって、腕の肌に接触する面になる。粘着層のある面は、外面になって、腕の肌に接触しない面になる。また、輪になった合成樹脂テープ１は、第１端側の粘着層４に付着する第２端側の位置で、輪の大きさ、締め付け力を調節する。
【００１９】
無色透明な合成樹脂テープ１は、第１端側と第２端側の下面をそれぞれ印刷インク面５にして、印刷インクで色付き、模様付きにしている。合成樹脂テープ１の第１摘み部２と第２摘み部３は、それぞれ、印刷インク面５で色付きにしている。色付きの目印付きにしている。実施例では、青色の一色にしている。合成樹脂テープ１の無色透明な粘着層４を形成した部分は、印刷インク面５で模様付きにしている。模様付きの目印付きにしている。実施例では、青色と白色の２色による縞模様にしている。
なお、無色透明な合成樹脂テープ１は、第１摘み部２と粘着層４との間の部分を印刷インク面５で文字模様付きにしている。その文字模様は、実施例では、白地に青色でロゴを表示している。
【００２０】
〈駆血兼止血テープの保管時の形態〉
細長い駆血兼止血テープ１は、保管時には、短くするため、図４〜図６に示すように、合成樹脂テープ１を二つ折りにして折り畳んでいる。二つ折りの折り畳み状態の合成樹脂テープ１は、粘着層４のある面を内面にしている。第１端側の粘着層４には第２端側、折返し部分を被せて付着している。第１端側の第１摘み部２は、第２端の左側に突出している。第２端側の第２摘み部３は、粘着層４の左側に突出し、第１端側の第１摘み部２の右側に位置している。
【００２１】
折り曲げに対する弾性力のある合成樹脂テープ１は、保管時の二つ折りの折線部分、第１端側の折線部分の上面に仮着層６を形成している。仮着層６には第２端側の折線部分の上面、内面が付着する。第２端側の折線部分の上面は、離型処理している。仮着層６は、一度しか付着しない仮着剤で形成している。仮着剤は、オレフィン系にしている。人の肌に障害を生じさせない。
二つ折りの折り畳み状態の駆血兼止血テープ１は、第１端側と第２端側の折線部分の内面を仮着層６で付着して重なり状態を維持している。
【００２２】
〈駆血兼止血テープの使用方法、駆血と止血の方法〉
駆血兼止血テープ１の使用手順、駆血と止血の手順は、図７に駒１〜８で示している。
【００２３】
駆血と止血を行う使用者は、両手で保管時の折り畳み状態の駆血兼止血テープ１の左右の両摘み部２、３を摘む（駒１）。両手を左右に広げて、駆血兼止血テープ１の第１端側の粘着層４と仮着層６から駆血兼止血テープ１の第２端側を剥す。駆血兼止血テープ１は、保管時の折り畳み状態から一直線状に左右方向に展開する（駒２）。一直線状の駆血兼止血テープ１は、上下面を逆にし、二つ折り時の内面、展開時の上面を下面にする（駒３）。その駆血兼止血テープ１は、採血や点滴を受ける被使用者の腕ａと交差し、腕ａの下面に駆血兼止血テープ１の中央部の上面を当てる（駒４）。その駆血兼止血テープ１は、左右の両摘み部２、３をそれぞれ上方に移動し、左端側の第１摘み部２を右側に、右端側の第２摘み部３を左側に移動して、被使用者の腕ａに巻き付ける（駒５）。その駆血兼止血テープ１は、腕ａの上で、第１端側の粘着層４の上に第２端側を重ね、第１端側の粘着層４に第２端側を付着する（駒６）。駆血兼止血テープ１は、第１端側と第２端側を付着して連結し、輪にする。その際、第１端側の粘着層４に付着する第２端側の位置で、輪の大きさ、締め付け力を調節する。輪になった駆血兼止血テープ１で腕ａの周りを締め付け、腕ａ内の静脈の血管を圧迫する。駆血を行う。すると、血管は、圧迫位置の下流側部分が拡張する。血管位置が見つけ易くなる。
【００２４】
駆血によって腕ａの静脈の血管位置が見つかって、腕ａに針を刺した後、腕ａの周りを締め付けていた駆血兼止血テープ１は、第２端側を第１端側の粘着層４から剥して締め付けを緩め、緩い状態で第２端側を第１端側の粘着層４に仮止めする（駒７）。すると、腕ａの周りの駆血兼止血テープ１は、輪になった形態で腕ａに留まっている。駆血テープとして使用した駆血兼止血テープ１は、採血や点滴が行われている間、止血テープとしての使用を待機している。
【００２５】
採血や点滴が終わると、針を腕ａから抜き出し、腕ａの針跡部分にカーゼや綿の止血パッドｐを当て、止血パッドｐに待機中の駆血兼止血テープ１を被せる。駆血兼止血テープ１は、第２端側を第１端側の粘着層４から剥し、締め付け力を高めた状態で第２端側を第１端側の粘着層４に付着する。駆血兼止血テープ１で止血パッドｐを腕ａの針跡部分に押し付ける（駒８）。止血パッドｐで腕ａの針跡部分を圧迫する。腕ａの針跡の孔からの出血が止められる。透明な駆血兼止血テープ１を透かして、止血パッドｐの血の滲み具合が見える。
【００２６】
腕ａの針跡の孔からの出血が停止した後、止血パッドｐを腕ａに押し付けていた駆血兼止血テープ１は、第２端側を第１端側の粘着層４から剥す。輪を解いて腕ａから取り外す。止血パッドｐも腕ａから取り外す。一度使用した駆血兼止血テープ１は、廃棄する。
【００２７】
［第２例（図８〜図１３参照）］
本例の駆血兼止血テープは、保管時の折り畳み形態を三つ折りにしている。第１例における二つ折りより短くなる。
【００２８】
駆血兼止血テープ１は、図８〜図１０に示すように、合成樹脂テープ１の３個所にそれぞれ仮着層１１、１２、１３を形成している。仮着層１１、１２、１３を形成する仮着剤は、第１例におけるのと同様にしている。仮着層１１、１２、１３がそれぞれ付着する範囲を離型処理している。保管時には、図１１〜図１３に示すように、三つ折りにして折り畳んでいる。
【００２９】
保管時の三つ折り状態の駆血兼止血テープ１は、第１端側の部分、中央部分と第２端側の部分を３層に重ねている。下層の第１端側の第１摘み部２は、中層の中央部分の左側に突出している。上層の第２端側の第２摘み部３は、中層の中央部分の右側に突出している。
下層の第１端側の粘着層４には、中層の中央部分、折返し部分を被せて付着している。第１端側の粘着層４は、折返し部分で覆われている。
下層の第１端側の部分と中層の中央部分の右側の折線部分は、仮着層１１で付着して重なり状態を維持している。中層の中央部分と上層の第２端側の部分の左側の折線部分は、仮着層１２で付着して重なり状態を維持している。中層の中央部分と上層の第２端側の部分の右側の重なり部分は、仮着層１３で付着して重なり状態を維持している。
【００３０】
駆血兼止血テープ１の使用手順、駆血と止血の手順は、図７に駒１〜８で示した第１例におけるのと同様にしている。
その他の点は、第１例におけるのと同様である。第１例におけるのと同様な部分には、図８〜図１３中、第１例におけるのと同一の符号を付ける。
【００３１】
［変形例］
本発明は、上記の実施形態に限定されない。次のような変形が例示される。
１．上記の実施形態において、合成樹脂テープ１は、無色透明にしているが、有色透明にする。
２．上記の実施形態において、合成樹脂テープ１は、透明にしているが、不透明にする。
３．上記の実施形態において、粘着層４は、第１摘み部２から間隔を置いて配置しているが、第１摘み部２に隣接して配置する。
４．上記の実施形態において、二つ折り、三つ折りの折線部分は、仮着層６、仮着層１１、１２、１３を設けているが、仮着層を設けない。
５．上記の実施形態において、左右の摘み部２、３は、目印付きにしているが、目印付きにしない。
６．上記の実施形態において、粘着層４は、無色透明にしているが、有色透明にする。
７．上記の実施形態において、粘着層４は、透明にしているが、不透明にする。
８．上記の実施形態において、粘着層４は、目印付きにしているが、目印付きにしない。
【符号の説明】
【００３２】
１  駆血兼止血テープ、合成樹脂テープ
２、３  左右の端部、摘み部
２  左端側、第１端側の端部、第１摘み部
３  右端側、第２端側の端部、第２摘み部
４  粘着層
５  印刷インク面
６  仮着層
ａ  被使用者の腕
ｐ  カーゼや綿の止血パッド
１１  仮着層
１２  仮着層
１３  仮着層
【図１】
2017144034.tif 000003
【図２】
2017144034.tif 000004
【図３】
2017144034.tif 000005
【図４】
2017144034.tif 000006
【図５】
2017144034.tif 000007
【図６】
2017144034.tif 000008
【図７】
2017144034.tif 000009
【図８】
2017144034.tif 000010
【図９】
2017144034.tif 000011
【図１０】
2017144034.tif 000012
【図１１】
2017144034.tif 000013
【図１２】
2017144034.tif 000014
【図１３】
2017144034.tif 000015